(57)【特許請求の範囲】
【請求項１】
無線によって電磁エネルギを伝送する無線給電装置と、
情報通信時において、情報通信機器に接続される通信ケーブルが情報通信中であることを知らせる通信可視化装置と、
を備え、
前記通信可視化装置は、
前記無線給電装置から伝送された電磁エネルギを受信するアンテナ部と、
前記アンテナ部が受信した電磁エネルギを整流して直流電圧を生成する第１の整流部と、
前記第１の整流部が生成した直流電圧を動作電源とし、情報通信時に前記通信ケーブルに伝達される通信信号の一部を増幅する増幅部と、
前記増幅部が増幅した前記通信信号を直流電圧に変換する第２の整流部と、
前記第２の整流部が変換した直流電圧に基づき発光する発光部と、
を有し、
前記通信ケーブルは、ペアを構成する２本のケーブル線を備え、当該２本のケーブル線のペアには、前記通信信号として差動信号が伝達され、
前記２本のケーブル線からはそれぞれ分岐ケーブル線が分岐しており、当該分岐ケーブル線を介して前記２本のケーブル線のペアに伝達される前記差動信号の一部が前記増幅部に入力される、通信可視化システム。
【請求項２】
請求項１記載の通信可視化システムにおいて、
さらに、前記通信可視化装置は、前記増幅部に流れる前記通信信号の電流値を制限する整合部を有する、通信可視化システム。
【請求項３】
請求項１または２記載の通信可視化システムにおいて、
前記通信可視化装置は、前記通信ケーブルが有するコネクタプラグに収納される、通信可視化システム。
【請求項４】
請求項１または２記載の通信可視化システムにおいて、
前記通信可視化装置は、前記通信ケーブルを接続して延長する延長アダプタに設けられる、通信可視化システム。
【請求項５】
請求項１または２記載の通信可視化システムにおいて、
前記通信可視化装置は、複数の前記通信ケーブルを集線する配線パネルに設けられる、通信可視化システム。
【請求項６】
電力を供給する給電装置と、
情報通信時において、情報通信機器に接続される通信ケーブルが情報通信中であることを知らせる通信可視化装置と、
を備え、
前記通信可視化装置は、
情報通信時に前記通信ケーブルに伝達される通信信号の一部を増幅する増幅部と、
前記増幅部が増幅した前記通信信号を直流電圧に変換する整流部と、
前記整流部が変換した直流電圧に基づき発光する発光部と、
を有し、
前記増幅部は、前記給電装置から供給される電力によって動作し、
前記通信ケーブルは、ペアを構成する２本のケーブル線を備え、当該２本のケーブル線のペアには、前記通信信号として差動信号が伝達され、
前記２本のケーブル線からはそれぞれ分岐ケーブル線が分岐しており、当該分岐ケーブル線を介して前記２本のケーブル線のペアに伝達される前記差動信号の一部が前記増幅部に入力される、通信可視化システム。
【請求項７】
請求項６記載の通信可視化システムにおいて、
さらに、前記通信可視化装置は、前記増幅部に流れる前記通信信号の電流値を制限する整合部を有する、通信可視化システム。
【請求項８】
請求項６または７記載の通信可視化システムにおいて、
前記通信可視化装置は、前記通信ケーブルが有するコネクタプラグに収納される、通信可視化システム。
【請求項９】
請求項６または７記載の通信可視化システムにおいて、
前記通信可視化装置は、前記通信ケーブルを接続して延長する延長アダプタに設けられる、通信可視化システム。
【請求項１０】
請求項６または７記載の通信可視化システムにおいて、
前記通信可視化装置は、複数の前記通信ケーブルを集線する配線パネルに設けられる、通信可視化システム。
【発明の詳細な説明】
【技術分野】
【０００１】
本発明は、通信可視化システムに関し、特に、通信ケーブルによる通信の有無を可視化する技術に関する。
【背景技術】
【０００２】
データセンタなどにおいては、サーバやハブなどの情報通信機器のレイアウト変更や移動、あるいは増設などに伴い、ＬＡＮ（Local Area Network）ケーブルなどの通信ケーブルの接続変更が行われる。
【０００３】
情報通信機器には、通信ケーブルの接続を確認する接続確認用のランプを有するものがある。このランプは、例えば情報通信機器に装着される通信ケーブルを接続するコネクタなどに設けられている。
【０００４】
ランプは、通信ケーブルがコネクタに接続され、情報通信機器間の通信が確立すると点灯する。通信ケーブルを情報通信機器のコネクタから抜いた際には、ランプが消灯する仕組みとなっている。
【０００５】
あるいは、接続確認用のランプを、通信ケーブル側のコネクタ部分に設けたものもある。この場合も、通信ケーブルが情報通信機器のコネクタに接続されるとランプが点灯し、該通信ケーブルをコネクタから抜いた際にはランプが消灯する。
【０００６】
なお、この種の通信ケーブルの接続を確認する技術としては、パッチング環境において、パッチコードまたはプラグの挿入や除去を検出し、パッチコードの接続を監視するもの（例えば特許文献１参照）が知られている。
【先行技術文献】
【特許文献】
【０００７】
【特許文献１】特表２０１２−５０８９５６号公報
【発明の概要】
【発明が解決しようとする課題】
【０００８】
近年、様々なサービスが集中するにつれて、データセンタ内のネットワークは、複雑になっている。例えば通信ケーブルが、集積化された情報通信機器の奥まった場所に配線されている場合には、接続確認用のランプのみを頼りにして抜去対象の通信ケーブルを識別することが困難であり、通信ケーブルの誤抜などが発生してしまう恐れがある。
【０００９】
特に、データ通信中の通信ケーブルを誤抜した際には、該当する情報通信機器のサービスの停止や転送中のデータの破損などが生じてしまうことも考えられる。
【００１０】
また、通信ケーブルのコネクタ部分にランプを設けたものでは、通信ケーブルがコネクタに接続されたことを検出する配線を備えた専用の通信ケーブルが新たに必要となってしまう。これによって、コストが増大するとともに、通信ケーブルの径が大きくなり重量も増加してしまうので、作業性が低下してしまうことになる。
【００１１】
さらに、専用の通信ケーブルが装着される特殊なコネクタなどを準備する必要があり、コストが大きくなってしまう。既存の通信ケーブルを専用の通信ケーブルに取り替えるには、大掛かりな変更作業が発生してしまうことになる。
【００１２】
本発明の目的は、低コストで容易に、通信ケーブルにおける情報通信の有無を視覚的に確認することのできる技術を提供することにある。
【００１３】
本発明の前記ならびにその他の目的と新規な特徴については、本明細書の記述および添付図面から明らかになるであろう。
【課題を解決するための手段】
【００１４】
本願において開示される発明のうち、代表的なものの概要を簡単に説明すれば、次のとおりである。
【００１５】
本発明の一様態による通信可視化システムは、無線によって電磁エネルギを伝送する無線給電装置と、情報通信時において、情報通信機器に接続される通信ケーブルが情報通信中であることを知らせる通信可視化装置と、を備える。
【００１６】
通信可視化装置は、アンテナ部、第１の整流部、増幅部、第２の整流部、および発光部を有する。アンテナ部は、無線給電装置から伝送された電磁エネルギを受信する。第１の整流部は、アンテナ部が受信した電磁エネルギを整流して直流電圧を生成する。
【００１７】
増幅部は、第１の整流部が生成した直流電圧を動作電源とし、情報通信時に通信ケーブルに伝達される通信信号の一部を増幅する。第２の整流部は、増幅部によって増幅された通信信号を直流電圧に変換する。発光部は、第２の整流部が変換した直流電圧に基づき発光する。
【００１８】
本発明の一様態による通信可視化システムは、電力を供給する給電装置と、情報通信時において、情報通信機器に接続される通信ケーブルが情報通信中であることを知らせる通信可視化装置と、を備える。
【００１９】
通信可視化装置は、増幅部、整流部、および発光部を有する。増幅部は、情報通信時に通信ケーブルに伝達される通信信号の一部を増幅する。整流部は、増幅部が増幅した通信信号を直流電圧に変換する。発光部は、整流部が変換した直流電圧に基づき発光する。また、増幅部は、給電装置から供給される電力によって動作する。
【００２０】
本発明の他の様態による通信可視化システムは、増幅部に入力される通信信号が、通信する情報通信機器から送信される１組の差動信号である。
【００２１】
本発明の他の様態による通信可視化システムは、さらに、通信可視化装置が、増幅部に流れる通信信号の電流値を制限する整合部を有する。
【００２２】
本発明の他の様態による通信可視化システムは、通信可視化装置が、通信ケーブルが有するコネクタプラグに収納される。
【００２３】
本発明の他の様態による通信可視化システムは、通信可視化装置が、通信ケーブルを接続して延長する延長アダプタに設けられる。
【００２４】
本発明の他の様態による通信可視化システムは、通信可視化装置が、複数の通信ケーブルを集線する配線パネルに設けられる。
【発明の効果】
【００２５】
通信ケーブルが伝達する情報通信の有無を視覚的に確認することができる。
【図面の簡単な説明】
【００２６】
【図１】本発明の実施の形態１による通信可視化システムの構成の一例を示す説明図である。
【図２】図１の通信可視化装置に設けられる整流回路における回路構成の一例を示す説明図である。
【図３】図１の通信可視化装置に設けられる整流回路における回路構成の他の例を示す説明図である。
【図４】図１の通信可視化装置に設けられる整流回路における他の回路構成例を示す説明図である。
【図５】図１の通信可視化装置に設けられる整流回路におけるさらに他の回路構成例を示す説明図である。
【図６】図１の通信可視化装置に設けられる発光回路における回路の一例を示す説明図である。
【図７】図６の発光回路における他の構成例を示す説明図である。
【図８】図６の発光回路におけるさらに他の構成例を示す説明図である。
【図９】図６の発光回路の他の構成例を示す説明図である。
【図１０】図１の通信可視化装置を備えたＬＡＮケーブルにおける構成の一例を示す説明図である。
【図１１】図１０のＬＡＮケーブルにおけるコネクタプラグ部の構成の一例を示す説明図である。
【図１２】図１の通信可視化システムが有する通信可視化装置における他の接続例を示す説明図である。
【図１３】実施の形態２による通信可視化装置を有する延長アダプタにおける構成の一例を示す説明図である。
【図１４】図１３の延長アダプタを用いて構成されたパッチパネルの一例を示す説明図である。
【図１５】図１４のパッチパネルにおける他の構成例を示す説明図である。
【図１６】実施の形態３による通信可視化システムにおける構成の一例を示す説明図である。
【図１７】図１６の通信可視化装置に設けられる整合回路における回路構成の一例を示す説明図である。
【図１８】実施の形態４による通信可視化システムにおける構成の一例を示す説明図である。
【図１９】図１８の通信可視化装置を有するＬＡＮケーブルの説明図である。
【図２０】図１８の通信可視化装置を備えた延長アダプタの説明図である。
【図２１】図２０の延長アダプタを用いて構成されたパッチパネルの一例を示す説明図である。
【発明を実施するための形態】
【００２７】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２８】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２９】
さらに、以下の実施の形態において、その構成要素（要素ステップ等も含む）は、特に明示した場合および原理的に明らかに必須であると考えられる場合等を除き、必ずしも必須のものではないことは言うまでもない。
【００３０】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００３１】
また、実施の形態を説明するための全図において、同一の部材には原則として同一の符号を付し、その繰り返しの説明は省略する。
【００３２】
（実施の形態１）
〈通信可視化システムの構成例〉
図１は、本発明の実施の形態１による通信可視化システム１０の構成の一例を示す説明図である。通信可視化システム１０は、例えばＬＡＮケーブル８０などによる通信信号の伝達の有無を視覚的に確認するものである。
【００３３】
通信可視化システム１０は、図１に示すように、無線給電装置１１および通信可視化装置１２を有する。給電装置である無線給電装置１１は、通信可視化装置１２に電力を無線給電する。
【００３４】
通信可視化装置１２は、通信ケーブルであるＬＡＮケーブル８０に備えられており、該ＬＡＮケーブル８０が通信信号を伝達中であることを発光によって視覚的に認識させる装置である。通信可視化装置１２は、無線給電装置１１から給電された電力によって動作する。通信可視化装置１２におけるＬＡＮケーブル８０への具体的な取り付け例については、後述する図１０、図１１などにより説明する。
【００３５】
ＬＡＮケーブル８０は、データセンタなどに設けられた、例えばサーバなどの情報通信を行う機器である情報通信機器に設けられたＬＡＮコネクタのソケットに差し込まれるようになっており、接続される情報通信機器間による通信信号を伝達する通信用のケーブルである。
【００３６】
〈無線給電装置の構成例〉
無線給電装置１１は、図示するように、信号発生部１３、アンテナ部１４、およびバッテリ１５からなる。信号発生部１３は、例えば連続的な正弦波であり、振幅もほぼ一定の基本となる高周波の電磁エネルギを生成する。具体的には、例えば数ＫＨｚ程度〜数ＧＨｚ程度の周波数からなる正弦波ｆ１である。アンテナ部１４は、信号発生部１３が生成した正弦波ｆ１を送信する。
【００３７】
バッテリ１５は、信号発生部１３に電源を供給する。信号発生部１３は、バッテリ１５から供給される電源を動作電源とする。
【００３８】
〈通信可視化装置の構成例〉
通信可視化装置１２は、図示すように、アンテナ部１６、整流回路１７、増幅回路１８、整流回路１９、および発光回路２０を有する。
【００３９】
アンテナ部１６は、受信アンテナであり、無線給電装置１１から送信された正弦波ｆ１を受信する。第１の整流部となる整流回路１７は、アンテナ部１６が受信した正弦波ｆ１を整流し、直流電圧に変換して増幅回路１８に出力する。整流回路１７から出力される直流電圧は、増幅回路１８の動作電源となる。
【００４０】
ＬＡＮケーブル８０は、イーサネット（Ethernet）ＬＡＮなどで利用される普及品であり、８本の銅線などからなるケーブル線８１を有する。イーサネットは、登録商標である。そして、２本のケーブル線８１がそれぞれペアとなり、合計４つのペアを構成する。２本のケーブル線８１の各ペアには、通信信号としての差動信号が伝達される。
【００４１】
増幅部である増幅回路１８の入力部には４つのペアを構成するケーブル線８１のうち、ある１つのペアを構成する２本のケーブル線８１に伝達される差動信号の一部が分岐ケーブル線８１ａを介してそれぞれ入力される。
【００４２】
増幅回路１８は、入力部に入力された差動信号を増幅して出力する。増幅回路１８は、例えばＬＮＡ（Low Noise Amplifier）などを用いることにより、高周波の低雑音増幅を行うことができる。
【００４３】
第２の整流部である整流回路１９は、増幅回路１８が増幅した差動信号を整流して直流電圧を出力する。整流回路１９の入力部ＩＮ１，ＩＮ２には、増幅回路１８が増幅した差動信号がそれぞれ入力される。整流回路１９が整流した直流電圧は、出力部ＯＵＴ１，ＯＵＴ２から出力される。
【００４４】
発光部である発光回路２０には、整流回路１９の出力部ＯＵＴ１，ＯＵＴ２から出力される直流電圧が供給されている。発光回路２０は、整流回路１９の出力部ＯＵＴ１，ＯＵＴ２から出力される直流電圧によって発光する。
【００４５】
このように、発光回路２０は、分岐ケーブル線８１ａを介して入力される差動信号を、増幅回路１８が増幅した信号を用いて発光する。また、増幅回路１８は、無線給電装置１１から供給される動作電源によって駆動する。そのため、分岐ケーブル線８１ａから入力される差動信号の大きさにかかわらず、発光回路２０における発光を安定化させることが可能となる。
【００４６】
〈整流回路の構成例〉
続いて、整流回路１９について説明する。
【００４７】
図２〜図５は、図１の通信可視化装置１２に設けられる整流回路１９における回路構成例を示す説明図である。なお、ここでは、整流回路１９の構成について説明するが、図１の通信可視化装置１２に設けられる整流回路１７についても同様の構成からなるものとする。
【００４８】
図２に示す整流回路１９は、ＤＣカット用のコンデンサＣ１〜Ｃ４およびショットキバリアダイオードからなるダイオードＤ１〜Ｄ４によって構成されている。
【００４９】
コンデンサＣ１，Ｃ２の一端は、整流回路１９の一方の入力部ＩＮ１に接続されている。ダイオードＤ１のアノードおよびコンデンサＣ３，Ｃ４の他端には、整流回路１９の他方の入力部ＩＮ２および整流回路１９の他方の出力部ＯＵＴ２がそれぞれ接続されている。
【００５０】
整流回路１９の入力部ＩＮ１，ＩＮ２には、増幅回路１８の出力部がそれぞれ接続されている。ダイオードＤ１のカソードには、ダイオードＤ２のアノードおよびコンデンサＣ１の一端がそれぞれ接続されている。ダイオードＤ２のカソードには、ダイオードＤ３のアノードおよびコンデンサＣ３の他端がそれぞれ接続されており、ダイオードＤ３のカソードには、ダイオードＤ４のアノードおよびコンデンサＣ２の他端がそれぞれ接続されている。
【００５１】
ダイオードＤ４のカソードには、コンデンサＣ４の一端が接続されている。ダイオードＤ４のカソードとコンデンサＣ４の一端との接続部は、整流回路１９の出力部ＯＵＴ１となる。整流回路１９の出力部ＯＵＴ１，ＯＵＴ２からは、直流電圧が出力される。
【００５２】
図３に示す整流回路１９は、ＤＣカット用のコンデンサＣ５〜Ｃ８およびショットキバリアダイオードからなるダイオードＤ５〜Ｄ８によって構成されている。コンデンサＣ５の一端には、整流回路１９の一方の入力部ＩＮ１が接続されており、ダイオードＤ５のアノードおよびコンデンサＣ７の一端には、整流回路１９の他方の入力部ＩＮ２が接続されている。
【００５３】
整流回路１９の入力部ＩＮ１，ＩＮ２には、増幅回路１８の出力部がそれぞれ接続されている。コンデンサＣ５の他端には、ダイオードＤ５のカソード、ダイオードＤ６のアノード、およびコンデンサＣ６の他端がそれぞれ接続されている。コンデンサＣ７の他端には、ダイオードＤ６のカソード、ダイオードＤ７のアノード、およびコンデンサＣ８の一端がそれぞれ接続されている。
【００５４】
コンデンサＣ６の他端には、ダイオードＤ７のカソードおよびダイオードＤ８のアノードがそれぞれ接続されている。ダイオードＤ８のカソードには、コンデンサＣ８の他端が接続されている。
【００５５】
ダイオードＤ５とコンデンサＣ７との接続部は、整流回路１９の一方の出力部ＯＵＴ２となり、ダイオードＤ８とコンデンサＣ８との接続部は、整流回路１９の他方の出力部ＯＵＴ１となり、これら整流回路１９の出力部ＯＵＴ１，ＯＵＴ２から直流電圧が出力される。
【００５６】
図４に示す整流回路１９は、ＤＣカット用のコンデンサＣ９〜Ｃ１６およびショットキバリアダイオードからなるダイオードＤ９〜Ｄ１６によって構成されている。整流回路１９の一方の入力部ＩＮ１には、コンデンサＣ１０，Ｃ１１の一端がそれぞれ接続されている。整流回路１９の他方の入力部ＩＮ２には、ダイオードＤ１２のカソード、ダイオードＤ１３のアノード、およびコンデンサＣ１４，Ｃ１５の一端がそれぞれ接続されている。
【００５７】
整流回路１９の入力部ＩＮ１，ＩＮ２には、増幅回路１８の出力部がそれぞれ接続されている。コンデンサＣ１０の他端には、ダイオードＤ１１のカソード、ダイオードＤ１２のアノード、およびコンデンサＣ９の一端がそれぞれ接続されている。コンデンサＣ９の他端には、ダイオードＤ１０のアノードおよびダイオードＤ９のカソードがそれぞれ接続されている。
【００５８】
ダイオードＤ９のアノードには、コンデンサＣ１３の一端が接続されている。コンデンサＣ１３の他端には、ダイオードＤ１０のカソード、ダイオードＤ１１のアノード、およびコンデンサＣ１４の他端がそれぞれ接続されている。
【００５９】
コンデンサＣ１１の他端には、ダイオードＤ１３のカソード、ダイオードＤ１４のアノード、およびコンデンサＣ１２の一端がそれぞれ接続されている。コンデンサＣ１２の他端には、ダイオードＤ１５のカソードおよびダイオードＤ１６のアノードがそれぞれ接続されている。
【００６０】
コンデンサＣ１５の他端には、ダイオードＤ１４のカソード、ダイオードＤ１５のアノード、およびコンデンサＣ１６の一端がそれぞれ接続されている。コンデンサＣ１６の他端には、ダイオードＤ１６のカソードは接続されている。
【００６１】
コンデンサＣ１６とダイオードＤ１６との接続部は、整流回路１９の一方の出力部ＯＵＴ１となり、ダイオードＤ９とコンデンサＣ１３との接続部は、整流回路１９の他方の出力部ＯＵＴ２となる。これら整流回路１９の出力部ＯＵＴ１，ＯＵＴ２からは、直流電圧が出力される。
【００６２】
図５に示す整流回路１９は、ＤＣカット用のコンデンサＣ１７〜Ｃ２２およびショットキバリアダイオードからなるダイオードＤ１７〜Ｄ２４によって構成されている。
【００６３】
整流回路１９の一方の入力部ＩＮ１には、コンデンサＣ１７の一端が接続されており、整流回路１９の他方の入力部ＩＮ２には、コンデンサＣ２１の一端が接続されている。整流回路１９の入力部ＩＮ１，ＩＮ２には、増幅回路１８の出力部がそれぞれ接続されている。
【００６４】
コンデンサＣ１７の一端には、ダイオードＤ１７のカソード、ダイオードＤ１８のアノード、およびコンデンサＣ１８の他端がそれぞれ接続されている。コンデンサＣ１８の他端には、ダイオードＤ１９のカソードおよびダイオードＤ２０のアノードがそれぞれ接続されている。
【００６５】
コンデンサＣ２１の他端には、ダイオードＤ２１のカソード、ダイオードＤ２２のアノード、およびコンデンサＣ２２の一端がそれぞれ接続されている。ダイオードＤ１７のアノードには、ダイオードＤ２１のアノードおよびコンデンサＣ１９の一端がそれぞれ接続されている。
【００６６】
コンデンサＣ１９の他端には、コンデンサＣ２０の一端、ダイオードＤ１８，Ｄ２２のカソード、およびダイオードＤ１９，Ｄ２３のアノードがそれぞれ接続されている。コンデンサＣ２０の他端には、ダイオードＤ２０，Ｄ２４のカソードがそれぞれ接続されている。コンデンサＣ２２の他端には、ダイオードＤ２３のカソードおよびダイオードＤ２４のアノードがそれぞれ接続されている。
【００６７】
コンデンサＣ２０とダイオードＤ２０，Ｄ２４との接続部は、整流回路１９の一方の出力部ＯＵＴ１となり、コンデンサＣ１９とダイオードＤ１７，Ｄ２１との接続部は、整流回路１９の他方の出力部ＯＵＴ２となる。これら整流回路１９の出力部ＯＵＴ１，ＯＵＴ２からは、直流電圧が出力される。
【００６８】
図２〜図４に示す整流回路１９は、例えば倍電圧半波整流回路から構成されており、図５に示す整流回路１９は、例えば倍電圧全波整流回路から構成されている。
【００６９】
〈発光回路の構成例〉
続いて、発光回路２０における構成について説明する。
【００７０】
図６は、図１の通信可視化装置１２に設けられる発光回路２０における回路の一例を示す説明図である。
【００７１】
発光回路２０は、図６に示すように、高周波除去用のコンデンサ４３および発光ダイオード（LED：Light Emitting Diode）４４を有する。コンデンサ４３の一端および発光ダイオード４４のアノードには、整流回路１９の出力部ＯＵＴ１がそれぞれ接続されている。コンデンサ４３の他端および発光ダイオード４４のカソードには、整流回路１９の出力部ＯＵＴ２がそれぞれ接続されている。
【００７２】
発光ダイオード４４は、整流回路１９から供給される直流電圧によって発光する。また、整流回路１９から出力される高周波成分は、コンデンサ４３によって除去される。これにより、高周波成分、すなわちノイズ成分を除去した直流電圧を発光ダイオードに印加することができるので、発光ダイオード４４の発光を安定化することができる。
【００７３】
〈発光回路の他の構成例１〉
図７は、図６の発光回路２０における他の構成例を示す説明図である。
【００７４】
整流回路１９から供給される直流電圧は、増幅回路１８が増幅した信号であるので、ケーブル線８１の電圧レベルの変動などによって、供給する直流電圧が安定化しない場合がある。
【００７５】
そこで、図７では、整流回路１９から出力される直流電圧が変動しても、安定して発光することのできる回路構成とする。
【００７６】
図７に示す発光回路２０は、図６に示したコンデンサ４３および発光ダイオード４４に、定電流ダイオード（CRD：Current Regulative Diode）４５を新たに追加した構成からなる。
【００７７】
定電流ダイオード４５のアノードには、整流回路１９の出力部ＯＵＴ１が接続され、該定電流ダイオード４５のカソードには、発光ダイオード４４のアノードが接続されている。
【００７８】
発光ダイオード４４のカソードには、整流回路１９の出力部ＯＵＴ２が接続されている。コンデンサ４３は、図６と同様に、整流回路１９の出力部ＯＵＴ１，ＯＵＴ２との間に接続されている。
【００７９】
定電流ダイオード４５は、整流回路１９が供給する直流電圧が変動しても、ほぼ一定の電流を流すように作用する。これによって、整流回路１９から出力される直流電圧が変動しても、発光ダイオード４４の発光を安定させることができる。
【００８０】
〈発光回路の他の構成例２〉
図８は、図６の発光回路２０におけるさらに他の構成例を示す説明図である。
【００８１】
図８に示す発光回路２０は、図６に示したコンデンサ４３および発光ダイオード４４に、ツェナーダイオード４６を新たに追加した構成からなる。ツェナーダイオード４６のカソードは、整流回路１９の出力部ＯＵＴ１に接続されており、該ツェナーダイオード４６のアノードは、整流回路１９の出力部ＯＵＴ２に接続されている。コンデンサ４３および発光ダイオード４４の接続構成については、図６と同様であるので説明は省略する。
【００８２】
整流回路１９から出力される直流電圧がツェナー電圧よりも大きくなると、ツェナーダイオード４６は、逆方向に電流を流して、整流回路１９から出力される直流電圧を安定化させることができる。よって、発光ダイオード４４の発光をほぼ安定させることができる。
【００８３】
〈発光回路の他の構成例３〉
図９は、図６の発光回路２０の他の構成例を示す説明図である。
【００８４】
図９に示す発光回路２０は、発光ダイオード４４およびバイポーラ型などのトランジスタ４７を備えた構成からなる。発光ダイオード４４のカソードには、トランジスタ４７のコレクタが接続されており、発光ダイオード４４のアノードおよびトランジスタ４７のエミッタには、図１に示す整流回路１７から出力される直流電圧が供給されている。
【００８５】
また、トランジスタ４７のベースには、整流回路１９から出力される差動信号が入力される。トランジスタ４７のベースがＨｉレベルとなると、トランジスタ４７がオンとなり、発光ダイオード４４が発光する。トランジスタ４７のスレッショルド電圧を適当に設定することで、整流回路１９から入力される直流電圧が不安定な場合でも、安定した発光動作を得ることができる。
【００８６】
〈ＬＡＮケーブルの構成例〉
続いて、通信可視化装置１２が備えられるＬＡＮケーブルにおける構成について説明する。
【００８７】
図１０は、図１の通信可視化装置１２を備えたＬＡＮケーブル８０における構成の一例を示す説明図である。図１１は、図１０のＬＡＮケーブル８０におけるコネクタプラグ部２２の構成の一例を示す説明図である。
【００８８】
ＬＡＮケーブル８０は、図１０および図１１に示すように、ケーブル部２１およびコネクタプラグ部２２から構成されている。ケーブル部２１は、８本のケーブル線８１およびそれらケーブル線８１を覆う外皮覆２３から構成されている。
【００８９】
ケーブル線８１は、例えば銅線からなる線芯と該線芯を覆う絶縁用の被覆からなる。８本のケーブル線８１は、２本のケーブル線８１によってそれぞれ１つのペアが構成され、合計４つのペアを有している。
【００９０】
各々のペアとなる２本のケーブル線８１は、該ケーブル線８１間の電圧差、すなわち差動信号によって情報を伝達する。外皮覆２３およびケーブル線８１の被覆は、例えばポリエチレンなどの樹脂からなる。
【００９１】
コネクタプラグであるコネクタプラグ部２２は、ＵＳＢハブやサーバなどに設けられたＬＡＮ端子であるジャックコネクタに接続するプラグである。このコネクタプラグ部２２は、プラグ基板２４およびプラグケース２５から構成されている。
【００９２】
プラグ基板２４は、例えばガラス布基材エポキシ樹脂などからなる複数の基板と、該基板の間に形成した銅などの配線パターンとを有する多層配線基板からなる。プラグ基板２４は、図示するように例えば長方形状からなり、主面および裏面にそれぞれ電子部品などが実装される両面実装基板である。
【００９３】
プラグ基板２４の主面（図中、下側）には、直方体状の端子２８、および図１の通信可視化装置１２を構成する増幅回路１８、整流回路１７，１９、発光ダイオード４４を除く発光回路２０が実装されている。
【００９４】
プラグ基板２４の一方の短辺側の周辺部には、主面および裏面に４個のランド２９がそれぞれ形成されている。これらランド２９には、ＬＡＮケーブル８０の８本のケーブル線８１がそれぞれ接続されている。
【００９５】
プラグ基板２４の他方の短辺側の周辺部には、複数のスルーホール３５が形成されている。４ペアを構成する８本のケーブル線８１に接続されるランド２９は、前述したプラグ基板２４に形成される図示しない配線パターンを介してスルーホール３５にそれぞれ接続されている。
【００９６】
また、４ペアのうち、ある１ペアを構成するケーブル線８１が接続されるランド２９は、前述したプラグ基板２４に形成される図示しない差動信号入力配線パターンを介して、通信可視化装置１２の増幅回路１８における入力部にも接続されている。差動信号入力配線パターンは、前述した分岐ケーブル線８１ａとなる。
【００９７】
端子２８の下面には、図示しないターミナルが設けられており、このターミナルが例えばはんだなどによってスルーホール３５と接続される。端子２８の上面には、該ターミナルと接続される８つのコンタクト電極３０が並列に設けられている。
【００９８】
端子２８は、スルーホール３５から入出力される差動信号を伝送する。発光ダイオード４４は、図示するように、プラグケース２５から目視することのできるようにプラグ基板２４の裏面の他方の短辺側近傍に実装されている。
【００９９】
プラグ基板２４の裏面（図中、上側）には、アンテナ部１６が形成されている。このアンテナ部１６は、直線状の配線パターンからなるアンテナ１６ａ，１６ｂが例えばプラグ基板２４の２つの長辺側近傍に、それぞれ形成される、いわゆる逆Ｌアンテナからなる。このアンテナ部１６は、正弦波ｆ１を受信する。
【０１００】
これらアンテナ１６ａ，１６ｂは、プラグ基板２４に形成された図示しないスルーホールや配線パターンなどを介してプラグ基板２４の主面に実装される整流回路１７の入力部に接続される。
【０１０１】
なお、アンテナ１６ａおよびアンテナ１６ｂの電気長は、図１の無線給電装置１１から送信される正弦波ｆ１の周波数の波長に対して１／４倍となるように設定することが望ましい。また、より波長の短い高い周波数成分に対応させることで、アンテナの小型化が可能であり、装置の小型化を実現することが可能である。
【０１０２】
なお、アンテナ部１６は、アンテナ以外であってもよく、例えば電磁誘導などによって電力を供給する電磁結合器、いわゆるカプラなどであってもよい。また、アンテナ部１６は、プラグ基板２４とは別のプリント基板に形成し、該プラグ基板２４と重ねて配置するようにしてもよい。
【０１０３】
プラグケース２５は、例えば直方体の形状からなり、プラグケース片２５ａとプラグケース片２５ｂとに分割される構成である。プラグケース片２５ａ，２５ｂは、例えば無色透明のプラスティックからなる。これにより、プラグ基板２４の裏面の他方の短辺側近傍に実装された発光ダイオード４４の発光を確実に目視することができる。
【０１０４】
プラグケース片２５ａの長辺側には、取り付けつめ３１がそれぞれ２つずつ形成されている。プラグケース片２５ｂの長辺側には、取り付けつめ３１に対向する位置に、取り付け溝３２がそれぞれ形成されている。
【０１０５】
プラグケース片２５ａの一方の短辺側の端部近傍は、端子２８が固定される形状であるとともに、端子２８のコンタクト電極３０がプラグケース片２５ａから露出するように形成されている。プラグケース片２５ａ，２５ｂは、プラグケース片２５ａに設けられた取り付けつめ３１とプラグケース片２５ｂに設けられた取り付け溝３２によってクランクする。
【０１０６】
これにより、プラグケース片２５ａ，２５ｂの一方の短辺側において、端子２８およびプラグ基板２４を挟み込むとともに、プラグケース片２５ａ，２５ｂの他方の短辺側においてＬＡＮケーブル８０のケーブル部２１端部を挟み、プラグ基板２４およびＬＡＮケーブル８０を固定する。
【０１０７】
プラグケース片２５ｂの一方の短辺側、すなわち端子２８が位置する短辺側には、クランプアーム３３が形成されている。クランプアーム３３には、つめ３３ａが形成されている。
【０１０８】
ＵＳＢハブやサーバなどの情報通信機器に設けられたＬＡＮ端子であるジャックコネクタに接続する際には、プラグケース２５の他方の端部側を該コネクタに挿入する。これにより、クランプアーム３３に形成されたつめ３３ａがコネクタ側に形成されている溝と係合し、固定される。このとき、プラグケース片２５ａから露出している端子２８のコンタクト電極３０が、ＬＡＮ端子のジャックコネクタに設けられた電極部に面接触して導通する。
【０１０９】
プラグケース２５をコネクタから抜くときには、クランプアーム３３をプラグケース片２５ｂ側に押下してつめ３３ａをコネクタの溝から外すことにより、抜去することができる。
【０１１０】
プラグケース片２５ａから露出するコンタクト電極３０の配列、およびＵＳＢハブやサーバなどに設けられたＬＡＮ端子であるジャックコネクタに挿入されるプラグケース２５の形状は、ＥＩＡ(The Electronic Industries Alliance)／ＴＩＡ(The Telecommunications Industry Association)によって規定されたものであり、例えばカテゴリ５に準拠する。
【０１１１】
なお、図１０および図１１では、増幅回路１８、整流回路１７，１９、発光ダイオード４４を除く発光回路２０をプラグ基板２４の主面に実装し、該プラグ基板２４の裏面に発光ダイオード４４の実装およびアンテナ部１６の形成を行う構成としたが、発光ダイオード４４が発光したことを確認できる位置であれば、これらの実装面については、特に制限はない。
【０１１２】
さらに、プラグケース２５は、発光ダイオード４４の発光を容易に確認することができればよいので、必ずしも無色である必要はなく、有色透明などであってもよい。
【０１１３】
〈通信可視化システムの動作例〉
続いて、通信可視化システム１０の動作について説明する。
【０１１４】
通信可視化システム１０においては、無線給電装置１１から正弦波ｆ１が送信される。通信可視化装置１２において、アンテナ部１６によって受信された正弦波ｆ１は、整流回路１７に入力される。
【０１１５】
整流回路１７は、受信した正弦波ｆ１を半波整流または全波整流し、増幅回路１８の駆動電力として該増幅回路１８に供給する。増幅回路１８は、無線給電装置１１から送信される正弦波ｆ１を駆動電力とすることによって、安定して電力が供給される。また、発光ダイオード４４を発光させる電力をケーブル線８１に伝達される差動信号から生成しなくてもよくなり、該差動信号の劣化を抑えることが可能となり、高品質な情報通信を維持することができる。
【０１１６】
情報通信が開始され、ＬＡＮケーブル８０が通信信号を伝達すると、その際にケーブル線８１に流れる差動信号の一部が増幅回路１８に入力される。増幅回路１８は、入力された差動信号を増幅して出力する。
【０１１７】
増幅回路１８は、前述したように、無線給電装置１１から供給される電力によって動作するので、ケーブル線８１に流れる差動信号の劣化を抑えることができる。整流回路１９は、増幅回路１８が増幅した差動信号を半波整流あるいは全波整流などによって整流して直流電圧を生成し、発光回路２０に出力する。
【０１１８】
整流回路１９から発光回路２０に電力が供給されることによって、該発光回路２０が有する発光ダイオード４４が発光する。また、ＬＡＮケーブル８０が通信信号を伝達していない場合、通信可視化装置１２には差動信号が入力されないので、発光ダイオード４４は、発光しないことになる。
【０１１９】
このように、通信可視化装置１２は、情報通信時にＬＡＮケーブル８０に差動信号が伝達されている際、すなわちＬＡＮケーブル８０における情報通信が行われているときにのみ発光ダイオード４４を点灯させる。また、プラグケース２５は、無色透明であるので、発光ダイオード４４が発光した際に、一目瞭然に発光を確認することができる。
【０１２０】
これによって、多数のＬＡＮケーブル８０の中から、対象のＬＡＮケーブルを容易に確認することが可能となり、ＬＡＮケーブル８０の誤抜などを防止することができる。短時間でＬＡＮケーブルの延長や交換などの作業を行うことができる。
【０１２１】
また、通信可視化装置１２は、無線給電装置１１から供給される正弦波ｆ１を発光ダイオード４４を発光させる電力として使用するので、ケーブル線８１に伝達される差動信号の信号品質の劣化を抑えることができる。
【０１２２】
さらに、無線給電装置１１をＬＡＮケーブル８０のプラグケース２５に近づけるだけで、増幅回路１８に動作電源を供給することができるので、電源設備などを不要としながら、安定した動作電源を供給することができる。これにより、通信可視化装置１２に供給する電源設備などを設ける必要がなく、コストを低減することができる。
【０１２３】
なお、本実施の形態１では、通信可視化装置１２が１ペアを構成する２本のケーブル線８１に接続された並列接続の構成としたが、例えば図１２に示すように、１ペアを構成する２本のケーブルのうち、いずれか１本のケーブル線８１に直列接続する構成としてもよい。
【０１２４】
（実施の形態２）
〈概要〉
データセンタなどにおいて、ＬＡＮケーブル配線の変更や増設、あるいはＬＡＮケーブルの延長などを容易にして保守性を向上させるために、２本のＬＡＮケーブルを接続する延長アダプタ、あるいは複数のＬＡＮケーブルを集線して接続する配線パネル、いわゆるパッチパネルが広く用いられている。そこで、本実施の形態２においては、延長アダプタおよびパッチパネルに通信可視化装置１２を設ける技術について説明する。
【０１２５】
〈延長アダプタの構成〉
図１３は、本実施の形態２による通信可視化装置１２を有する延長アダプタ５０における構成の一例を示す説明図である。
【０１２６】
延長アダプタ５０は、２本のＬＡＮケーブル８０を接続して延長するアダプタであり、データセンタなどにおいては、ＬＡＮケーブルの延長などを容易にする。
【０１２７】
延長アダプタ５０は、図１３（ｂ）に示すように、例えば長方形状のジャック基板５１を有する。ジャック基板５１は、例えばガラス布基材エポキシ樹脂などからなる複数の基板と、該基板の間に形成した銅などの配線パターンとを有する多層配線基板からなる両面実装基板である。
【０１２８】
ジャック基板５１の一方の短辺側の主面には、ジャックコネクタ５２が実装されている。ジャック基板５１の他方の短辺側の主面には、ジャックコネクタ５３が実装されている。ジャックコネクタ５２，５３は、図１３（ａ）に示すように、ＬＡＮケーブル８０がそれぞれ接続される。
【０１２９】
ジャックコネクタ５２とジャックコネクタ５３とは、ジャック基板５１の裏面などに形成される図示しない配線パターンによってそれぞれ接続されている。このジャック基板５１には、前記実施の形態１の図１に示す通信可視化システム１０が有する通信可視化装置１２が実装されている。
【０１３０】
図１に示す通信可視化装置１２が有する増幅回路１８、整流回路１７，１９および発光ダイオード４４を除く発光回路２０は、例えばジャック基板５１の主面に実装される。通信可視化装置１２において、発光回路２０が有する発光ダイオード４４は、ジャック基板５１の裏面の他方の短辺側近傍に実装されている。また、図１に示すアンテナ部１６を構成するアンテナ１６ａ，１６ｂは、ジャック基板５１の裏面に配線パターンによって形成されている。これらの実装および構成については、図１１と同様である。
【０１３１】
通信可視化装置１２およびジャックコネクタ５２，５３が実装されているジャック基板５１は、ジャックコネクタケースを構成する２つのジャックコネクタケース片５４，５５によって固定される。
【０１３２】
ジャックコネクタケース片５４の２つの長辺側には、取り付けつめ５４ａがそれぞれ２つずつ形成されている。ジャックコネクタケース片５５の長辺側には、取り付けつめ５４ａに対向する位置に、取り付け溝５５ａがそれぞれ形成されている。
【０１３３】
ジャックコネクタケース片５４およびジャックコネクタケース片５５は、取り付けつめ５４ａと取り付け溝５５ａとが係合することによってジャックコネクタケースが構成される。ジャックコネクタケース片５４，５５および通信可視化装置１２を実装したジャック基板５１は、ジャックコネクタケース片５４とジャックコネクタケース片５５とに挟み込まれて固定される。これにより、延長アダプタ５０が形成される。
【０１３４】
ジャックコネクタケース片５４の一部の領域には、発光確認窓５４ｂが形成されている。この発光確認窓５４ｂは、例えば無色透明のプラスティックカバーなどからなる。発光確認窓５４ｂが形成されているジャックコネクタケース片５４の一部の領域は、ジャック基板５１の裏面の他方の短辺側近傍の位置、すなわち発光ダイオード４４が実装されている位置である。
【０１３５】
この発光確認窓５４ｂによって、発光ダイオード４４の発光を容易に目視にて確認することができる。ジャックコネクタ５２とジャックコネクタ５３とを接続する配線パターンのうち、ある１ペアを構成するケーブル線８１（図１に示す）と接続された配線パターンは、通信可視化装置１２の増幅回路１８にも接続される。その他の通信可視化装置１２における接続構成は、図１と同様である。
【０１３６】
このように、通信可視化装置１２は、延長アダプタ５０に内蔵される構成となっているので、専用のＬＡＮケーブルなどを不要とすることができる。それにより、コストを低減させることができる。
【０１３７】
さらに、既存のＬＡＮケーブルを使用することができるので、該ＬＡＮケーブルを延長アダプタ５０に接続するだけで、視覚的にＬＡＮケーブル８０が通信信号を伝達中であるか否かを判別することができる。これによって、特別な作業などを不要としながら、容易にかつ短時間でＬＡＮケーブルの延長や交換などの作業を行うことができる。
【０１３８】
また、前記実施の形態１と同様に、視覚的にＬＡＮケーブル８０が通信信号を伝達中であるか否かを判別することが可能となる。さらに、発光ダイオード４４を発光させる電力をケーブル線８１に伝達される差動信号から生成しなくてもよくなり、該差動信号の劣化を抑えることが可能となり、高品質な情報通信を維持することができる。
【０１３９】
また、多数の延長アダプタ５０に接続されたＬＡＮケーブル８０の中から、対象のＬＡＮケーブルを容易に確認することが可能となり、ＬＡＮケーブル８０の誤抜などを防止することができる。
【０１４０】
〈パッチパネルの構成例〉
続いて、通信可視化装置を有するパッチパネルについて説明する。
【０１４１】
図１４は、図１３の延長アダプタ５０を用いて構成されたパッチパネル６５の一例を示す説明図である。
【０１４２】
パッチパネル６５は、例えばデータセンタなどにおいて、ＬＡＮケーブル配線の変更や増設などを容易にして保守性を向上させるために、ＬＡＮケーブルを集線する配線パネルである。
【０１４３】
パッチパネル６５は、図１４に示すように。前面パネル６６に、図１３に示した延長アダプタ５０が、例えば上下２列に複数個配列されている構成からなる。なお、図１４では、各々の列に１２個の延長アダプタ５０が配列されている例を示しているが、該延長アダプタ５０の個数および配列数については特に制限はない。
【０１４４】
この構成により、無線給電装置１１をパッチパネル６５に近づけるだけで、図１の通信可視化装置１２の増幅回路１８に電源が供給され、視覚的にＬＡＮケーブル８０が通信信号を伝達中であるか否かを判別することが可能となる。
【０１４５】
よって、ＬＡＮケーブル８０の配線変更などの際に、パッチパネル６５に接続された多数のＬＡＮケーブル８０の中から、抜去対象のＬＡＮケーブルを容易に確認することが可能となり、配線変更などの作業性を向上させることができる。また、情報通信の品質を向上させることができる。
【０１４６】
さらに、通信可視化装置１２は、パッチパネル６５に備えられた延長アダプタ５０に内蔵されるので、専用のＬＡＮケーブルなどを不要とすることができ、コストを低減させることができる。
【０１４７】
なお、図１４では、各々の延長アダプタ５０に通信可視化装置１２を設けた構成としたが、図１５に示すようにアダプタモジュール形式としてもよい。
【０１４８】
この場合、パッチパネル６５は、図示しない２枚のパネル基板を有する。パネル基板には、複数の延長アダプタ５０が等間隔でそれぞれ実装されるモジュール構成となっている。
【０１４９】
通信可視化装置１２においては、例えば図３に示す構成と同様である。また、発光ダイオード４４については、図１５に示すように、パッチパネル６５が有する前面パネル６６に配置される。
【０１５０】
また、通信可視化装置１２は、延長アダプタ５０が有するジャック基板５１に実装してもよいし、あるいはジャック基板５１ではなく、パネル基板に実装するようにしてもよい。
【０１５１】
これによっても、情報通信が開始され、ＬＡＮケーブル８０が通信信号を伝達すると、視覚的にＬＡＮケーブル８０が通信信号を伝達中であるか否かを前面パネル６６に設けられた発光ダイオードによって判別することが可能となる。
【０１５２】
（実施の形態３）
〈概要〉
前記実施の形態１，２では、無線給電装置１１によって増幅回路１８に外部電源を供給することによって、ケーブル線８１に伝達される差動信号の信号劣化を抑制する構成としたが、本実施の形態３においては、さらに差動信号の信号劣化を抑制させる技術について説明する。
【０１５３】
〈通信可視化装置の構成例〉
図１６は、本実施の形態３による通信可視化システム１０における構成の一例を示す説明図である。
【０１５４】
通信可視化システム１０は、図示するように、無線給電装置１１および通信可視化装置１２から構成されている。無線給電装置１１の構成は、前記実施の形態１の図１と同様であるので、説明は省略する。
【０１５５】
通信可視化装置１２は、アンテナ部１６，整流回路１７，１９、増幅回路１８、および発光回路２０からなる図１の構成に、新たに整合回路２６を追加した構成からなる。整合部となる整合回路２６は、増幅回路１８に流れる電流を制限する。これによって、ケーブル線８１に伝達される差動信号の信号劣化を抑制する。
【０１５６】
整合回路２６には、ある１つのペアを構成する２本のケーブル線８１に伝達される差動信号がそれぞれ入力される。また、整合回路２６の出力部には、増幅回路１８の入力部がそれぞれ接続されている。その他の接続構成については、前記実施の形態１の図１と同様であるので、説明は省略する。
【０１５７】
〈整合回路の構成例および動作〉
図１７は、図１６の通信可視化装置１２に設けられる整合回路２６における回路構成の一例を示す説明図である。
【０１５８】
整合回路２６は、図示するように、抵抗２６ａ，２６ｂから構成されている。抵抗２６ａの一方の接続部には、１ペアを構成する一方のケーブル線８１が接続されている。抵抗２６ａの他方の接続部には、抵抗２６ｂの一方の接続部が接続されており、該抵抗２６ｂの他方の接続部には、１ペアを構成する他方のケーブル線８１が接続されている。
【０１５９】
抵抗２６ａと抵抗２６ｂとの接続部および抵抗２６ｂの他方の接続は、整合回路２６の出力部となり、これら出力部には、増幅回路１８の入力部がそれぞれ接続されている。なお、抵抗２６ａ，２６ｂの抵抗値は、ケーブル線８１のインピーダンス、例えば１００Ω程度よりも十分に大きい値に設定する。
【０１６０】
ケーブル線８１から入力された差動信号は、整合回路２６の抵抗２６ａおよび抵抗２６ｂによって分圧される。前述したように、抵抗２６ａ，２６ｂの抵抗値は、ケーブル線８１のインピーダンス（例えば１００Ω程度）よりも十分に大きい値に設定されており、ハイインピーダンス状態となっている。
【０１６１】
よって、整合回路２６から増幅回路１８に出力される差動信号の電流値は、大きく制限される。増幅回路１８は、入力された差動信号を増幅する。その後の動作については、図１と同様である。また、図１６の通信可視化装置１２は、前記実施の形態１，２と同様に、ＬＡＮケーブル８０、延長アダプタ５０、あるいはパッチパネル６５に設けられる。
【０１６２】
これにより、ケーブル線８１からは、前記実施の形態１の図１における構成よりも、より微弱な電流のみが取り出されることになるので、ケーブル線８１における差動信号の品質劣化を大幅に抑えることができる。
【０１６３】
以上により、ＬＡＮケーブル８０が伝達する通信信号の品質劣化を、より抑えることが可能となり、情報通信の品質を向上させることができる。
【０１６４】
なお、図１７では、整合回路２６を抵抗２６ａ，２６ｂを用いて構成したが、インダクタおよびコンデンサなどからＬＣ回路によってハイインピーダンス状態を形成するようにしてもよい。その場合、整合回路は、いわゆるπ型整合回路などであり、整合状態によってはコンデンサの代わりにインダクタを、またインダクタの代わりにコンデンサを使用してよい。
【０１６５】
（実施の形態４）
〈概要〉
前記実施の形態１〜３では、無線給電装置１１によって増幅回路１８に外部電源を供給する構成としたが、本実施の形態４においては、有線によって増幅回路１８に電源を供給する技術について説明する。
【０１６６】
〈通信可視化装置の構成例〉
図１８は、本実施の形態４による通信可視化システム１０における構成の一例を示す説明図である。
【０１６７】
通信可視化システム１０は、図示するように、給電装置７２および通信可視化装置１２から構成されている。給電装置７２は、直流電圧を供給するバッテリ７３および該バッテリ７３に接続されるケーブル７４を有する。ケーブル７４の先端部には、コネクタ７４ａが設けられている。このコネクタ７４ａには、オス端子７４ｂが設けられている。
【０１６８】
通信可視化装置１２は、増幅回路１８、整流回路１９、および発光回路２０からなる構成に、コネクタ７５が設けられている。コネクタ７５は、増幅回路１８に接続されている。
【０１６９】
コネクタ７５は、給電装置７２のコネクタ７４ａと結合して電気的に接続される。これによって、給電装置７２からの直流電圧が増幅回路１８に供給される。増幅回路１８は、給電装置７２から供給される直流電圧を動作電源とする。
【０１７０】
その他の通信可視化装置１２における増幅回路１８、整流回路１９、および発光回路２０の接続構成について、図１と同様である。整流回路１９は、整流部となる。
【０１７１】
この構成によって、増幅回路１８には、ケーブル７４によって確実に電源が供給されることになり、通信可視化システム１０における信頼性を、より向上させることができる。
【０１７２】
なお、給電装置７２は、ケーブル７４を用いることなく、バッテリ７３とコネクタ７４ａとを一体形状にした構成であってもよい。
【０１７３】
図１９は、図１８の通信可視化装置１２を備えたＬＡＮケーブル８０の説明図である。
【０１７４】
コネクタ７５は、例えばプラグ基板２４の裏面に実装されている。コネクタ７５は、メス端子７５ａが設けられており、このメス端子７５ａに給電装置７２のコネクタ７４ａが有するオス端子７４ｂが挿入されて電気的に接続される。
【０１７５】
メス端子７５ａは、ＬＡＮケーブル８０のプラグケース２５の上面、すなわちプラグケース２５を構成するプラグケース片２５ｂの上面に露出するように設けられている。
【０１７６】
通信可視化装置１２の増幅回路１８に電源を供給する場合には、コネクタ７５に、コネクタ７４ａを差し込んで電気的に結合させる。
【０１７７】
コネクタ７５は、図１９に示すようにメス端子７５ａがプラグ基板２４に直接接続される構成、あるいは図示しないケーブルなどを介してプラグ基板２４に接続される構成からなる。
【０１７８】
また、プラグ基板２４においては、アンテナ部１６および整流回路１７が設けられていない点、および整流回路１７から増幅回路１８に電源を供給するのではなく、コネクタ７５から供給される電源を増幅回路１８に供給する点以外は、図１０と同様の構成となっている。
【０１７９】
図２０は、図１８の通信可視化装置１２を備えた延長アダプタ５０の説明図である。
【０１８０】
この場合、コネクタ７５は、図２０に示すように、ジャックコネクタケース片５４の上面に形成される。コネクタ７５は、給電装置７２が有するコネクタ７４ａと結合する孔が設けられたメス端子７５ａからなる。
【０１８１】
コネクタ７５は、メス端子７５ａが図１３に示すジャック基板５１に直接接続される構成、あるいは図示しないケーブルなどを介してジャック基板５１に接続される構成からなる。
【０１８２】
また、ジャック基板５１においては、アンテナ部１６および整流回路１７が設けられていない点、および整流回路１７から増幅回路１８に電源を供給するのではなく、コネクタ７５から供給される電源を増幅回路１８に供給する点以外は、図１３と同様の構成となっている。
【０１８３】
図２１は、図２０の延長アダプタ５０を用いて構成されたパッチパネル６５の一例を示す説明図である。
【０１８４】
この場合、パッチパネル６５は、図２１に示すように、前面パネル６６に、図２０に示した延長アダプタ５０が、例えば上下２列に複数個配列されている構成からなる。なお、図２１では、各々の列に１２個の延長アダプタ５０が配列されている例を示しているが、該延長アダプタ５０の個数および配列数については特に制限はない。
【０１８５】
通信可視化装置１２の増幅回路１８に電源を供給する場合には、コネクタ７５のメス端子７５ａに給電装置７２が有するオス端子７４ｂを差し込んで結合させる。
【０１８６】
また、パッチパネル６５は、図１５に示したように、アダプタモジュール形式としてもよい。
【０１８７】
この場合においても、パッチパネル６５は、２枚のパネル基板を有し、該パネル基板には、複数の延長アダプタ５０が等間隔でそれぞれ実装されるモジュール構成となっている。通信可視化装置１２においては、例えば図１８に示す構成と同様である。また、発光ダイオード４４については、例えばパッチパネル６５が有する前面パネル６６に配置される。
【０１８８】
このモジュール構成では、例えば前面パネル６６に、給電装置７２のコネクタ７４ａが接続されるコネクタ７５を設ける。そして、このコネクタ７５は、パネル基板に形成された配線パターンに接続される。この配線パターンは、各々の増幅回路１８に動作電源を供給する共通配線である。
【０１８９】
また、図１８に示す通信可視化装置１２は、パネル基板に実装される。これによって、１つのコネクタを前面パネルに設けるだけで、増幅回路１８に動作電源を供給することができる。よって、コネクタ７５数を削減することができるので、コストを低減することができる。
【０１９０】
以上のように、増幅回路１８の動作電源を給電装置７２から有線によって供給するので、より安定した電源供給を実現することができる。それにより、通信可視化システム１０における信頼性を、さらに向上させることができる。
【０１９１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１９２】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１９３】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１９４】
１０  通信可視化システム
１１  無線給電装置
１２  通信可視化装置
１３  信号発生部
１４  アンテナ部
１５  バッテリ
１６  アンテナ部
１６ａ  アンテナ
１６ｂ  アンテナ
１７  整流回路（第１の整流部）
１８  増幅回路（増幅部）
１９  整流回路（第２の整流部）
２０  発光回路（発光部）
２１  ケーブル部
２２  コネクタプラグ部
２３  外皮覆
２４  プラグ基板
２５  プラグケース
２５ａ  プラグケース片
２５ｂ  プラグケース片
２６  整合回路（整合部）
２６ａ  抵抗
２６ｂ  抵抗
２８  端子
２９  ランド
３０  コンタクト電極
３１  取り付けつめ
３２  取り付け溝
３３  クランプアーム
３３ａ  つめ
３５  スルーホール
４３  コンデンサ
４４  発光ダイオード
４５  定電流ダイオード
４６  ツェナーダイオード
４７  トランジスタ
５０  延長アダプタ
５１  ジャック基板
５２  ジャックコネクタ
５３  ジャックコネクタ
５４  ジャックコネクタケース片
５４ａ  取り付けつめ
５４ｂ  発光確認窓
５５  ジャックコネクタケース片
５５ａ  取り付け溝
６５  パッチパネル
６６  前面パネル
７２  給電装置
７３  バッテリ
７４  ケーブル
７４ａ  コネクタ
７４ｂ  オス端子
７５  コネクタ
７５ａ  メス端子
８０  ＬＡＮケーブル（通信ケーブル）
８１  ケーブル線
８１ａ  分岐ケーブル線
【図１】
0006295878.tif 000002
【図２】
0006295878.tif 000003
【図３】
0006295878.tif 000004
【図４】
0006295878.tif 000005
【図５】
0006295878.tif 000006
【図６】
0006295878.tif 000007
【図７】
0006295878.tif 000008
【図８】
0006295878.tif 000009
【図９】
0006295878.tif 000010
【図１０】
0006295878.tif 000011
【図１１】
0006295878.tif 000012
【図１２】
0006295878.tif 000013
【図１３】
0006295878.tif 000014
【図１４】
0006295878.tif 000015
【図１５】
0006295878.tif 000016
【図１６】
0006295878.tif 000017
【図１７】
0006295878.tif 000018
【図１８】
0006295878.tif 000019
【図１９】
0006295878.tif 000020
【図２０】
0006295878.tif 000021
【図２１】
0006295878.tif 000022